【事件の表示】
　特願２０００−２４５１７３「パチンコ機」拒絶査定不服審判事件〔平成１３年　３月１３日出願公開、特開２００１−　６２０７０〕について、次のとおり審決する。
【結　論】
　本件審判の請求は、成り立たない。
【理　由】
１．手続の経緯・本願発明
　本願は、平成４年３月１８日に出願した特願平４−９３５１８号の一部を平成１２年８月１１日に新たな特許出願としたものであって、審査請求に伴って平成１２年９月６日に手続補正書が提出され、平成１４年３月２５日付け（平成１４年４月２日発送）で拒絶の理由が通知され、その指定期間内である平成１４年６月３日に手続補正書が提出され、平成１５年３月２４日付け（平成１５年４月１日発送）で拒絶査定され、平成１５年４月３０日に審判請求がなされ、平成１５年５月２７日に手続補正書が提出されたものである。そして、その請求項１に係る発明（以下、「本願発明」という。）は、上記各手続補正書によって補正された明細書及び図面の記載からみて、その特許請求の範囲の請求項１に記載された次のとおりのものである。
　
「　始動口と、当該始動口への入球を契機として開閉する大入賞口と、当該大入賞口に入賞した球が通過可能な特定領域および当該特定領域以外の非特定領域と、前記大入賞口に入賞した球のうちで前記特定領域を通過する球のみを検出する特定領域通過検出スイッチと、前記大入賞口に入賞した球を特定領域へ導き易い第１の状態と前記特定領域へ導き難い第２の状態との間で変化する可動部とを備えた入賞装置を有するパチンコ機において、
　前記特定領域通過検出スイッチとは別の場所に設けられ、前記大入賞口に入賞した全ての球を検出する大入賞口入賞検出スイッチと、
　前記大入賞口入賞検出スイッチの検出信号を受けると図柄群を変動表示可能な図柄表示体とを備え、
　前記図柄表示体に特定の図柄が表示されると、前記可動部を前記第１の状態にするパチンコ機。」
　
　なお、本願の特許請求の範囲の請求項１の記載は、（１）「第１の状態」及び「第２の状態」が動作態様以外の静止状態を含むのか否か、（２）可動部が第２の状態になるのはどのような場合なのか、（３）球が特定領域を通過した場合の可動部の状態がどうなるのか、といった不明確な点を有し、実施例の記載と比較して極度に上位概念化されていると共に、（４）入賞装置が始動口を備える、といった実施例（入賞装置と始動口は別々に設けられている。）とは別概念と思われる点を含むものであるが、記載された文言どおりに解釈することが可能であるので、本願発明を上記のとおり認定する。
　
２．引用刊行物記載の発明
　これに対して、原査定の拒絶の理由に引用された、本願の出願日前である平成２年８月２日に頒布された特開平２−１９５９７６号公報（以下、「引用刊行物」という。）には、図面と共に次の事項が記載されている。
　
（１−１）「本発明の実施例を図面にもとづいて説明する。
　パチンコ機は、第１図に示すように、遊技盤１の表面にガイドレール２で囲んだ遊技部３を形成し、該遊技部３内のほぼ中央に変動入賞装置４を、該変動入賞装置４の下方の左右に第１始動口５，５を、両第１始動口５，５の間に第２始動口６を配設し、第１始動口５に入った球が流下する流路に第１始動検出器７を、第２始動口６に入った球が流下する流路に第２始動検出器８を臨ませてある。
　変動入賞装置４は、第２，３図に示すように、遊技盤１の表面に取付ける基板９の開口部の開口上縁部分に庇状の鎧部１０を穿設するとともに該鎧部１０の上部に入賞口１１を形成し、鎧部１０の左右端部の下方には一対の可動部材１２，１２を支軸１３，１３により回動可能に軸着し、該可動部材１２，１２の軸着基端の下方には開口部を囲むようにして流入阻止壁１４，１４を形成するとともに開口部の下縁部分には入賞枠１５を流入阻止壁１４，１４と連続的に形成し、基板９の裏側にはケース１６を設けることにより開口部に連通する凹室１７を形成し、該凹室１７の内部には分流棚１８を可動部材１２，１２の軸着基端とほぼ同じ高さか或はそれよりも僅か下方に位置させて前後動可能に設け、凹室１７の底面１９には作動部材２０を配置し、底面１９の傾斜下端に臨む入賞枠１５には球が入ると特別の入賞とする特別入賞口２１と、該特別入賞口２１の左右に球が入ると一般の入賞とする一般入賞口２２，２２を形成し、特別入賞口２１には特別入賞検出器２３を臨ませ、特別入賞口２１に入った球と一般入賞口２２，２２に入った球とが合流して流下する流路には計数用検出器２４を臨ませてある。また、ケース１６の裏側には可動部材１２，１２を駆動する電気的駆動源としての第１ソレノイド２５を取付けるとともに、作動部材２０の作動を制御する第２ソレノイド２６を取付け、ケース１６の上部には分流棚１８を作動する駆動源としての第３ソレノイド２７を取付けてある。
　そして、可動部材１２，１２を支承する支軸１３，１３は、ケース１６の側面に形成した軸受２８，２８の内部を貫通し、各軸受２８から突出した後端にはクランク部材２９を固定し、第１ソレノイド２５のプランジャに取付けた腕部材３０の長孔３１内にクランク部材２９のピン３２を遊嵌してある。第１ソレノイド２５が消磁した状態では、復帰スプリングの付勢により腕部材３０が下降して停止するので、左右の可動部材１２，１２は、第２図に示すように、ほぼ直立した状態で停止する。この状態では、可動部材１２，１２の上端が鎧部１０の端部下方に位置して球を受け入れないので、遊技者にとって不利な第１状態となる。第１ソレノイド２５が励磁すると、腕部材３０が上昇して支軸１３，１３を回動するので、左右の可動部材１２，１２が上端を外側に倒す方向に回動し逆ハ字状に停止する。この状態に変換すると、流下してきた球を受け入れ易い、即ち遊技者にとって有利な第２状態となる。なお、この第２状態で第１ソレノイド２５が消磁すると、復帰スプリングの付勢により腕部材３０が下降するので、支軸１３，１３及び可動部材１２，１２が戻り回動し、球を受け入れ易い第２状態から球を受け入れない第１状態に復帰する。」（第２ページ右上欄第３行〜第３ページ左上欄第８行）
　
（１−２）「分流棚１８は、図面の実施例では前後動することにより可動部材１２，１２の軸着基端間を出入する上段部１８ａと、該上段部１８ａの後端に段違いに配設されて凹室１７内に位置する下段部１８ｂとからなり、左右の側縁から突設した腕部３３，３３がケース１６の外部において第３ソレノイド２７の作動腕３４と接続している。なお、分流棚１８を前後動可能に支持する手段は、ケース１６の側面に形成したガイド溝乃至スリット内に分流棚１８の各腕部３３をスライド可能に嵌合するなどすればよい。第３ソレノイド２７が消磁している状態では、復帰スプリングの付勢により作動腕３４が後退して停止するので、分流棚１８も後退して停止して、上段部１８ａの先端部分が可動部材１２，１２の軸着基端間から外れた第１状態となる（第５図）。この第１状態において可動部材１２，１２が開いて球を受け入れると、殆どの球は直接入賞枠１５内に落下して特別入賞口２１又は一般入賞口２２に入賞する。なお、特別入賞口２１に入賞する確率は、球の流下方向を特別入賞口２１の方向に案内するものがなくて全くの偶然性に依存しているので、かなり低い。一方、第３ソレノイド２７が励磁すると、作動腕３４が前進するので分流棚１８も前進し、上段部１８ａの先端部分が可動部材１２，１２の軸着基端間に位置する第２状態に変換する（第６図）。この第２状態において可動部材１２，１２が開いて球を受け入れると、この球は分流棚１８上に落下し、上面の下り傾斜により凹室１７内に向って転動し、傾斜下端、即ち分流棚１８の下段部１８ｂの後端部分から凹室１７の底面１９乃至作動部材２０に落下する。底面１９上には後述するように、作動部材２０の作動により誘導部材３５，３５が現れるように構成されているので、分流棚１８上を転動して凹室１７内を流下した球は、可動部材１２，１２から直接落下した球に比較すると、特別入賞口２１に入賞する確率が遥かに高い。したがって、本実施例では、分流棚１８が前進して可動部材１２，１２の軸着基端間に位置する第２状態の方が遊技者にとって有利な状態となる。」（第３ページ左上欄第９行〜同左下欄第９行）
　
（１−３）「凹室１７の底面１９は入賞枠１５側に向って僅かに下り傾斜しており、上面には傾斜上端側の間隔が広くて傾斜下端側の間隔が狭い２本の突条状の誘導部材３５，３５を逆ハ字状に形成してあり、間隔の狭い部分を特別入賞口２１の入口に臨ませてある。また、底面１９上に配設した作動部材２０は傾斜片３６，３６を形成した上面が球面状の部材であって、凹室１７の奥に位置する部分を軸３７により凹室１７の側面に軸着することにより前部を上下動可動に支承されており、前部から横方向に延設した受片３８を凹室１７の外部に突出させ、該受片３８の先端に第１永久磁石３９を取付けてなる。なお、底面１９と作動部材２０との間を球が通過し得る間隔を配して、軸３７により支承する。本実施例ではケース１６の下部に作動制御杆４０を前後方向に配置して後端を軸４１により揺動可能に軸着し、該作動制御杆４０の長さの途中に第２ソレノイド２６のプランジャを連絡し、先端である自由端から横方向に延設した作用片４２の先端には第２永久磁石４３を取付けて前記第１永久磁石３９に臨ませる。なお、第１永久磁石３９と第２永久磁石４３とは、同種の磁極を対向させた状態、例えばＮ極同士を向い合わせた状態で取付ける。第２ソレノイド２６が消磁した状態においては、復帰スプリングの付勢により作動制御杆４０は前端を下降した状態で停止する。したがって、作動制御杆４０の第２永久磁石４３と作動部材２０の第１永久磁石３９との間隔が大きく開き、磁気作用を有効に発揮しない状態となる。このため作動部材２０は、第４図実線で示すように、自重により前端を凹室１７の底面１９上に当接するまで下降した第１状態で停止する。この第１状態で分流棚１８上から球が底面１９上に落下すると、この球は作動部材２０の軸着側（後部）と底面１９との間隔内を流下し、途中で間隔が狭くなっているので作動部材２０と底面１９とに挟まれた状態で停止する。また、分流棚１８から作動部材２０上に落下した球は、そのまま流下して特別入賞口２１又は一般入賞口２２に入賞する。なお、作動部材２０の前部が底面１９上に下降した第１状態で停止すると作動部材２０が２本の誘導部材３５，３５を覆い隠すので、分流棚１８から落下した球が誘導部材３５，３５により流下方向を案内されて特別入賞口２１に入ることはない。一方、第２ソレノイド２６が励磁すると、プランジャの上昇に伴って作動制御杆４０が軸４１を中心にして先端を上昇する方向に揺動する。この様にして作動制御杆４０が揺動すると、第２永久磁石４３が上昇して第１永久磁石３９との間隔を狭くするので、両永久磁石３９，４３の磁力が有効に作用して反発力を生じる。したがって、作動部材２０が第４図点線で示すように、自由端側（前部）を浮上させて、上記反発力と作動部材２０の自重とが釣り合った位置でフワフワとした状態で止まる。なお、本実施例では、作動部材２０が浮上した際の間隔Ｈが球の直径よりも大きくなるように第１、第２永久磁石３９，４３の磁力と取付位置を設定してある。したがって、作動部材２０の前部が浮上する第２状態に変換すると、底面１９上には誘導部材３５，３５により流下方向を特別入賞口２１に案内する高さＨの誘導路が出現することとなる。作動部材２０の前部が浮上した第２状態で分流棚１８から球が作動部材２０上に落下すると、作動部材２０がフワフワと上下動するとともに、これにより球の流下勢が弱められて底面１９上を流下した後に特別入賞口２１又は一般入賞口２２に入賞する。この場合、作動部材２０の上面が球面状であって、しかも作動部材２０がフワフワと上下動するので、分流棚１８から落下した球は遊技者が予想もしなかった意外な方向に流下方向を変更させられる。また、分流棚１８から落下した球が底面１９の傾斜上端部分に落下すると、この球は作動部材２０の下方に出現した誘導路を流下しながら誘導部材３５により流下方向を特別入賞口２１に向けて修正される。したがって、作動部材２０の前部が浮上した第２状態においては、特別入賞口２１に入賞する確率が高められる。」（第３ページ左下欄第１２行〜第４ページ左下欄第１０行）
　
（１−４）「次に、上記した変動入賞装置４を備えたパチンコ機における遊技について説明する。なお、変動入賞装置４の可動部材１２，１２は球を受け入れない第１状態で停止し、分流棚１８は後退して前部分を可動部材１２，１２の軸着端部間から外した第１状態で停止し、作動部材２０は前部を底面１９まで下降した第１状態で停止しているものとする。」（第４ページ右下欄第８〜１５行）
　
（１−５）「遊技部３内を流下してきた球が第１始動口５に入賞すると、この球を検出した第１始動検出器７が電気的制御装置４４に信号を送り、球が第２始動口６に入賞すると、この球を検出した第２始動検出器８が電気的制御装置４４に信号を送る。電気的制御装置４４は、第１始動検出器７からの信号を受けると、変動入賞装置４の第１ソレノイド２５を所定のウエイト時間（例えば０．８秒間）が経過した後に所定時間（例えば０．４秒間）１回だけ励磁するとともに、第２ソレノイド２６を所定のウエイト時間（例えば０．８秒間）が経過した後に所定時間（例えば２．４秒間）励磁する。したがって、変動入賞装置４の可動部材１２，１２が球を受け入れない第１状態から球を受け入れ易い第２状態に０．４秒間１回だけ変換し、また凹室１７内の作動部材２０が前部を下降して誘導路を隠した第１状態から前部を浮上して誘導路を出現させる第２状態に２．４秒間だけ変換する。しかし、第３ソレノイド２７が消磁したままなので、分流棚１８は後退したままである。したがって、遊技部３内を流下してきた球が可動部材１２，１２に受け入れられた場合、この球の殆どは分流棚１８から作動部材２０や底面１９上に流下することなく、直接入賞枠１５内に落下して一般入賞口２２又は特別入賞口２１に入賞する。また、稀に分流棚１８上に載ってから作動部材２０上に落下することがあるが、この様な球は作動部材２０上から底面１９上を流下した後に一般入賞口２２又は特別入賞口２１に入賞する。そして、運良く分流棚１８上に載って底面１９の傾斜上端部分に落下した球は、作動部材２０の下方に出現した誘導路を流下する途中で誘導部材３５により流下方向を修正されて高い確率で特別入賞口２１に入賞するか或は一般入賞口２２に入賞することもある。・・・球が一般入賞口２２に入賞すると、この球は遊技盤１の裏側に流出して一般の入賞球として処理される。また、球が特別入賞口２１に入賞すると、特別入賞検出器２３がこの球を検出して電気的制御装置４４に信号を送り、検出された球は遊技盤１の裏側に流出して一般の入賞球と同様に処理される。電気的制御装置４４が特別検出器からの信号を受けると、特別遊技の権利が発生して特別遊技に移行するが、これについては後述する。」（第４ページ右下欄第１６行〜第５ページ左下欄第６行）
　
（１−６）「一方、球が第２始動口６に入賞して電気的制御装置４４が第２始動検出器８からの信号を受けると、電気的制御装置４４は変動入賞装置４の第１ソレノイド２５を所定のウエイト時間（例えば０．８秒間）が経過した後に所定時間（例えば０．８秒間）宛２回励磁するとともに、第３ソレノイド２７を所定のウエイト時間（例えば０．８秒間）が経過した後に所定時間（例えば０．４秒間）だけ１回励磁し、また第２ソレノイド２６を所定のウエイト時間（例えば０．８秒間）が経過した後に所定時間（例えば４．４秒間）励磁する。したがって、変動入賞装置４の可動部材１２，１２が球を受け入れない第１状態から球を受け入れ易い第２状態に０．８秒間ずつ２回変換し、また分流棚１８が０．８秒間だけ前進して前部を可動部材１２，１２の軸着基端間に位置させ、凹室１７内の作動部材２０が前部を下降して誘導路を隠した第１状態から前部を浮上して誘導路を出現させる第２状態に４．４秒間だけ変換する。したがって、遊技部３内を流下してきた球がタイミング良く可動部材１２，１２の１回目の開閉で受け入れられた場合、この球は分流棚１８から作動部材２０や底面１９上に流下し、２回目の開閉で受け入れられた場合にはその殆どの球が分流棚１８上に載ることなく直接入賞枠１５内に落下して一般入賞口２２又は特別入賞口２１に入賞する。分流棚１８上に載った球は作動部材２０上に落下することがあるが、この様な球は作動部材２０上から底面１９上を流下した後に一般入賞口２２又は特別入賞口２１に入賞する。そして、分流棚１８上に載った球の多くは底面１９の傾斜上端部分に落下し、作動部材２０の下方に出現した誘導路を流下する途中で誘導部材３５，３５により流下方向を修正されて高い確率で特別入賞口２１に入賞する。しかし、一般入賞口２２に入賞することもある。・・・球が一般入賞口２２に入賞すると、この球は遊技盤１の裏側に流出して一般の入賞球として処理される。また、球が特別入賞口２１に入賞すると、特別入賞検出器２３がこの球を検出して電気的制御装置４４に信号を送り、検出された球は遊技盤１の裏側に流出して一般の入賞球と同様に処理される。電気的制御装置４４が特別入賞検出器２３からの信号を受けると、特別遊技の権利が発生して特別遊技に移行する。」（第５ページ左下欄第７行〜第６ページ左上欄第１５行）
　
（１−７）「特別遊技は・・・本実施例では変動入賞装置４の可動部材１２，１２が所定回数（例えば１８回）開閉動作を行うか又は変動入賞装置４への入賞球が所定個数（例えば１０個）に達するまでを１サイクルとし、特別入賞口２１に球が入ることを継続条件として所定回（例えば８サイクル目）まで特別遊技を繰り返して継続することができるように設定してある。また、１サイクル中において、特別入賞口２１への入賞確率を数段階に異ならせてある。可動部材１２，１２が４回目の開閉動作を終了するまでの第１期においては、第２ソレノイド２６を消磁したままで作動部材２０を下降したままとし、第３ソレノイド２７を励磁・消磁させて分流棚１８を前後動させる。この様にすると、可動部材１２，１２が受け入れた球が分流棚１８上に載って凹室１７内に入るが、作動部材２０が下降したままで誘導路が出現しないので、特別入賞口２１への入賞確率は低い（第１特典遊技状態）。次に可動部材１２，１２が５回目から１０回目までの開閉動作を繰り返す第２期においては、第３ソレノイド２７を励磁・消磁させて分流棚１８を前後動させるとともに、第２ソレノイド２６も間歇的に励磁して作動部材２０を間歇浮上させる。この様にすると、可動部材１２，１２が受け入れた球が分流棚１８上に載って凹室１７内に入り、分流棚１８から落下した球が間歇的に浮上・下降する作動部材２０の作用により、即ち誘導路の出現により特別入賞口２１に案内されることもあるので、特別入賞口２１への入賞確率が第１期よりも高くなる（第２特典遊技状態）。そして、可動部材１２，１２が１１回目から１８回目までの開閉動作を繰り返す第３期においては、第２ソレノイド２６と第３ソレノイド２７を連続的に励磁して分流棚１８を前進させたままにするとともに作動部材２０を浮上させたままとする。この様にすると、可動部材１２，１２が受け入れた球が全て凹室１７内に入ってから落下し、また落下した球が浮上したままの作動部材２０の作用により、即ち誘導路の存在により特別入賞口２１に向って流下する。したがって、第２期よりも一層特別入賞口２１への入賞確率が高くなる（第３特典遊技状態）。」（第６ページ左上欄第１６行〜同左下欄第１９行）
　
（１−８）「第１０図に示す他の実施例は、第１始動口５、第２始動口６、或は特別入賞口２１に球が入った時に、第１始動検出器７、第２始動検出器８、特別入賞検出器２３からの信号にもとづいて別ゲームを行わせ、この別ゲームの結果態様により変動入賞装置４の作動部材２０や分流棚１８の作動状態を選択して特別入賞口２１への入賞確率を段階的に異らしめたものである。別ゲームを行う別ゲーム機はどのようなものでもよいが、第１０図に示す実施例では、数字等を識別できない程度の速度で変換表示し、この変換表示が停止したときに数字等の組合せ態様が予め設定してある賞態様を形成しているかを競う７セグメント式可変表示器４８を使用しており、例えば、「７」「７」が揃ったら特別入賞口２１への入賞確率を高くした状態で遊技（第３特典遊技状態）することができ、同じ「７」以外の数字が揃った場合には入賞確率を中程度として遊技することができ（第２特典遊技状態）、上記以外の組合せの場合には入賞確率が低い状態で遊技（第１特典遊技状態）するなどと設定することができる。」（第７ページ左上欄第２０行〜同右上欄第２０行）
　
　上記摘記事項（１−８）に記載された「他の実施例」は、上記摘記事項（１−１）乃至（１−７）に記載された実施例において、第１始動口５、第２始動口６、特別入賞口２１に球が入ったときに分流棚１８及び作動部材２０が予め定められた動きをすることに代えて、第１始動口５、第２始動口６、特別入賞口２１に球が入ったときに別ゲームを行わせ、その別ゲームの結果に応じて分流棚１８及び作動部材２０の動きを選択するようにしたものであると当業者には理解できるものと認められる。
　よって、上記摘記事項（１−１）乃至（１−８）及び図面の記載によると、引用刊行物には、
「第１始動口５，５及び第２始動口６と、前記第１始動口５，５及び第２始動口６に入賞すると球を受け入れない第１状態と球を受け入れ易い第２状態とに回動可能な可動部材１２，１２、特別入賞口２１及び一般入賞口２２，２２、特別入賞口２１に臨ませた特別入賞検出器２３、前記可動部材１２，１２に受け入れられた球の前記特別入賞口２１への入賞確率を高くした第３特典遊技状態と前記入賞確率を中程度とした第２特典遊技状態と前記入賞確率を低くした第１特典遊技状態とに変化する分流棚１８及び作動部材２０を備えた変動入賞装置４とを有するパチンコ機において、
　前記特別入賞口２１に入った球と前記一般入賞口２２，２２に入った球とが合流して流下する流路に臨ませた計数用検出器２４と、
　前記第１始動口５，５への入賞を検出する第１始動検出器７，７と、
　前記第２始動口６への入賞を検出する第２始動検出器８と、
　前記第１始動検出器７，７及び前記第２始動検出器８からの信号に基づいて数字等を識別できない程度の速度で変換表示する７セグメント式可変表示器４８とを備え、
　前記７セグメント式可変表示器４８の変換表示が停止し、「７」「７」が揃った場合には前記分流棚１８及び前記作動部材２０を前記第３特典遊技状態とし、同じ「７」以外の数字が揃った場合には前記分流棚１８及び前記作動部材２０を前記第２特典遊技状態とし、上記以外の組合せの場合には前記分流棚１８及び前記作動部材２０を前記第１特典遊技状態とするパチンコ機。」
の発明（以下、「引用発明」という。）が記載されていると認められる。
　
３．対比
　本願発明と引用発明を対比すると、引用発明における「第１始動口５，５及び第２始動口６」、「入賞すると」、「特別入賞口２１」、「一般入賞口２２，２２」、「特別入賞検出器２３」、「特別入賞口２１への入賞確率を高くした第３特典遊技状態」、「入賞確率を低くした第１特典遊技状態」、「分流棚１８及び作動部材２０」、「変動入賞装置４」、「計数用検出器２４」、「数字等」、「変換表示」、「７セグメント式可変表示器４８」、「「７」「７」が揃った場合には」が、本願発明における「始動口」、「入球を契機として」、「特定領域」、「非特定領域」、「特定領域通過検出スイッチ」、「特定領域へ導き易い第１の状態」、「特定領域へ導き難い第２の状態」、「可動部」、「入賞装置」、「大入賞口入賞検出スイッチ」、「図柄群」、「変動表示」、「図柄表示体」、「特定の図柄が表示されると」にそれぞれ対応する。
　引用発明における変動入賞装置４の可動部材１２，１２は、球を受け入れない第１状態と球を受け入れ易い第２状態とに回動可能なものであるので、引用発明における変動入賞装置４が本願発明における大入賞口に相当する構成を有していることは明らかである。
　引用発明において、特別入賞検出器２３は特別入賞口２１に臨んで設けられ、計数用検出器２４は特別入賞口２１に入った球と一般入賞口２２，２２に入った球とが合流して流下する流路に臨んで設けられているので、計数用検出器２４が特別入賞検出器２３とは別の場所に設けられていることは明らかである。
　よって、次の一致点において両者の構成は一致し、次の各相違点において両者の構成は相違する。
　
（一致点）
　始動口と、当該始動口への入球を契機として開閉する大入賞口、当該大入賞口に入賞した球が通過可能な特定領域および当該特定領域以外の非特定領域、前記大入賞口に入賞した球のうちで前記特定領域を通過する球のみを検出する特定領域通過検出スイッチ、前記大入賞口に入賞した球を特定領域へ導き易い第１の状態と前記特定領域へ導き難い第２の状態とに変化することができる可動部を備えた入賞装置とを有するパチンコ機において、
　前記特定領域通過検出スイッチとは別の場所に設けられ、前記大入賞口に入賞した全ての球を検出する大入賞口入賞検出スイッチと、
　信号を受けると図柄群を変動表示可能な図柄表示体とを備え、
　前記図柄表示体に特定の図柄が表示されると、前記可動部を前記第１の状態にするパチンコ機である点。
　
（相違点１）
　図柄表示体が変動表示するための信号が、本願発明においては大入賞口入賞検出スイッチの検出信号であるのに対し、引用発明においては第１始動検出器７，７及び前記第２始動検出器８からの信号である点。
　
（相違点２）
　可動部が変化することができる状態に関し、本願発明においては、特定領域へ導き易い第１の状態及び特定領域へ導き難い第２の状態の２つであるのに対し、引用発明においては、特定領域へ導き易い第１の状態（第３特典遊技状態）、特定領域へ導き難い第２の状態（第１特典遊技状態）及び第１の状態よりも特定領域へ導き難く第２の状態よりも特定領域へ導き易い第２特典遊技状態の３つであり、図柄表示体の表示が同じ「７」以外の数字が揃った場合に可動部を第２特典遊技状態とする点。
　
（相違点３）
　始動口が、本願発明においては入賞装置に設けられているのに対し、引用発明においては入賞装置とは別に設けられている点。
　
４．当審の判断
（１）相違点１について
　図柄表示体を変動表示させるのは、その表示結果に応じて可動部の状態を変化させ、特定領域への導き易さを変えるためであり、遊技のどの段階（例えば、始動口に入球した段階、大入賞口に入球した段階等）で特定領域への導き易さを変えるかは、遊技の興趣等を考慮して当業者が適宜設定し得る設計事項である。しかも、本願発明のように大入賞口入賞検出スイッチの検出信号を受けると図柄群を変動表示させることで格別な効果があるとは認められない。したがって、図柄表示体が変動表示するための信号の相違は、単に設計的事項程度の相違にすぎない。
　
（２）相違点２について
　可動部の状態を変化させるのは、特定領域への導き易さを変化させて興趣を高めるためであり、可動部のとり得る状態を何通りにするかは、遊技の興趣等を考慮して当業者が適宜設定し得る設計事項である。しかも、本願発明のように可動部が変化することができる状態を、特定領域へ導き易い第１の状態及び特定領域へ導き難い第２の状態の２つとすることで格別な効果があるとは認められない。したがって、可動部のとり得る状態数の相違は、単に設計的事項にすぎない。
　
（３）相違点３について
　始動口を設ける位置は、遊技盤上に設ける他の入賞装置等との位置関係などを考慮して当業者が適宜設定し得る設計事項である。しかも、本願発明のように入賞装置に始動口を設けることで格別な効果があるとは認められない。したがって、始動口を設ける位置の相違は、単に設計的事項にすぎない。
　
（４）本願発明の作用効果について
　本願の明細書に記載された「可動部の動きによって遊技者に利益を与え易い状況と利益を与え難い状況とを出現させてゲームの興趣を高めることができる」という本願発明の作用効果は、引用発明の奏する作用効果と比較して格別差異があるとは認められない。
　
５．むすび
　したがって、本願請求項１に係る発明は、引用刊行物に記載された発明に基づいて当業者が容易に発明をすることができたものであるので、特許法第２９条第２項の規定により特許を受けることができない。
　よって、結論のとおり審決する。